(57)【特許請求の範囲】
【請求項１】
固定鉄心、
この固定鉄心に対して接離する方向へ往復動可能な可動鉄心、
上記固定鉄心から開離する方向へ上記可動鉄心を付勢する開離ばね、
励磁されることにより上記開離ばねに抗して上記固定鉄心に接する方向へ上記可動鉄心を移動させるコイル、
先端部外周に設けられている環状の装着溝を有し、上記可動鉄心とともに往復動されるロッド、
互いに間隔をおいて配置されている複数の固定接点、
上記ロッドの軸方向へ往復動可能な状態で上記ロッドに支持され、上記ロッドの往復動により上記固定接点に接離され、上記固定接点間を電気的に接続・遮断する可動接点、
上記ロッドと上記可動接点との間に設けられ、上記固定接点側へ上記可動接点を付勢する接圧ばね、
互いに向かい合う状態で上記ロッドを囲むように上記装着溝に装着されている半円環状の一対の半円片を有し、上記ロッドの軸方向への上記可動接点の移動を規制するストッパ、及び
上記可動接点と上記ストッパとの間に設けられているリング部と、上記ストッパを囲む円筒状のカバー本体とを有し、上記ストッパが上記ロッドから外れるのを防止するカバー
を備え、
上記カバー本体には、周方向に互いに間隔をおいて軸方向へ延びる複数の延長部が設けられており、
これらの延長部の内側には、上記カバーに対する上記ストッパの軸方向への相対的な動きを規制する突起部がそれぞれ設けられていることを特徴とするスタータ用マグネットスイッチ。
【請求項２】
固定鉄心、
この固定鉄心に対して接離する方向へ往復動可能な可動鉄心、
上記固定鉄心から開離する方向へ上記可動鉄心を付勢する開離ばね、
励磁されることにより上記開離ばねに抗して上記固定鉄心に接する方向へ上記可動鉄心を移動させるコイル、
先端部外周に設けられている環状の装着溝を有し、上記可動鉄心とともに往復動されるロッド、
互いに間隔をおいて配置されている複数の固定接点、
上記ロッドの軸方向へ往復動可能な状態で上記ロッドに支持され、上記ロッドの往復動により上記固定接点に接離され、上記固定接点間を電気的に接続・遮断する可動接点、
上記ロッドと上記可動接点との間に設けられ、上記固定接点側へ上記可動接点を付勢する接圧ばね、
上記装着溝に装着され、上記ロッドの軸方向への上記可動接点の移動を規制するストッパ、及び
上記可動接点と上記ストッパとの間に設けられているリング部と、上記ストッパを囲む円筒状のカバー本体とを有し、上記ストッパが上記ロッドから外れるのを防止するカバー
を備え、上記カバー本体の内側には、上記カバーに対する上記ストッパの軸方向への相対的な動きを規制する突起部が設けられており、
上記ストッパの外周面には、上記突起部が挿入される凹部が設けられていることを特徴とするスタータ用マグネットスイッチ。
【発明の詳細な説明】
【０００１】
【発明の属する技術分野】
この発明は、スタータモータへの通電を入切するスタータ用マグネットスイッチに関するものである。
【０００２】
【従来の技術】
図１１は例えば特開平１１−１８２３９０号公報に示された従来のスタータ用マグネットスイッチの断面図である。図において、円筒状のソレノイドケース１の一端部には、スイッチケース２が結合されている。スイッチケース２内には、一対の固定接点３，４が互いに間隔をおいて固定されている。固定接点３，４には、一対の導体５，６が電気的に接続されている。
【０００３】
ソレノイドケース１内には、円筒状のボビン７が収容されている。ボビン７の外周部には、コイル８が保持されている。ソレノイドケース１内には、固定鉄心９が固定されている。固定鉄心９は、ボビン７のスイッチケース２側の端面に接合されているフランジ部９ａと、ボビン７内に挿入された円筒部９ｂとを有している。
【０００４】
ボビン７内には、往復摺動可能な可動鉄心１０が挿入されている。可動鉄心１０の一端部は、円筒部９ｂの端面に接離される。また、可動鉄心１０の他端部は、ソレノイドケース１の外部に突出している。可動鉄心１０の他端部とソレノイドケースとの間には、固定鉄心９から開離する方向へ可動鉄心１０を付勢する開離ばね１１が設けられている。
【０００５】
可動鉄心１０の一端部には、可動鉄心１０の軸方向へ延び、可動鉄心１０と一体に往復動されるロッド１２が固定されている。ロッド１２は、可動鉄心１０に固定されている大径部１２ａと、この大径部１２ａに隣接している小径部１２ｂとを有している。
【０００６】
図１２は図１１のロッド１２の先端部を示す正面図、図１３は図１２のＸＩＩＩ−ＸＩＩＩ線に沿う断面図である。ロッド１２の小径部１２ｂには、小径部１２ｂの軸方向へ往復動可能な保持部材１３が設けられている。保持部材１３は、フランジ部１３ａと円筒部１３ｂとを有している。円筒部１３ｂの端面には、リング状の保持板１４が当接されている。
【０００７】
ロッド１２には、一対の固定接点３，４に接離される平板状の可動接点１５が支持されている。可動接点１５は、フランジ部１３ａと保持板１４との間に配置されている。ロッド１２の大径部１２ａと保持部材１３との間には、固定接点３，４側へ可動接点１５を付勢する接圧ばね１６が設けられている。
【０００８】
小径部１２ｂの先端部の外周には、環状の装着溝１２ｃが設けられている。この装着溝１２ｃには、ロッド１２の軸方向への可動接点１５の移動を規制する金属製のＣ形のストッパ（止め輪）１７が装着されている。ストッパ１７は、焼き入れ等により硬質化されている。ワッシャ１８は、ストッパ１７と保持板１４との間で小径部１２ｂに挿通されている。
【０００９】
カバー１９は、ストッパ１７よりも軟質の金属からなり、ワッシャ１８とストッパ１７との間で小径部１２ｂに挿通されている。カバー１９は、ストッパ１７とワッシャ１８との間に介在されているリング部１９ａと、ストッパ１７を囲むカバー本体１９ｂとを有している。カバー本体１９ｂには、ストッパ１７に係合する複数のかしめ部１９ｃが設けられている。これにより、小径部１２ｂからストッパ１７が外れるのが防止されている。
【００１０】
【発明が解決しようとする課題】
上記のように構成された従来のスタータ用マグネットスイッチにおいては、ロッド１２の径方向へのストッパ１７の動きを十分に規制する手段がないため、振動等によりストッパ１７が径方向へ動く恐れがある。そして、ストッパ１７が繰り返し動いた場合、ストッパ１７と接触し軟質の鉄系材料で構成されたカバー１９が内側から摩耗され、長期の使用によりカバー１９が破損したり、カバー１９の破損によりストッパ１７が外れる恐れがあった。
【００１１】
また、カバー本体１９ｂにかしめ部１９ｃを設けているため、かしめ部１９ｃ間の部分１９ｄ（図１２）が外径側へ拡がり、固定接点３，４及び可動接点１５とカバー本体１９ｂとの間の沿面距離が短くなり、カバー本体１９ｂと固定接点３，４及び可動接点１５との間を短絡する恐れがあった。
【００１２】
この発明は、上記のような問題点を解決することを課題としてなされたものであり、ストッパの動きをより確実に防止することができ、これによりカバーの破損及びストッパの外れを防止することができ、またカバーによる短絡が発生するのを防止することができるスタータ用マグネットスイッチを得ることを目的とする。
【００１３】
【課題を解決するための手段】
この発明に係るスタータ用マグネットスイッチは、固定鉄心、この固定鉄心に対して接離する方向へ往復動可能な可動鉄心、固定鉄心から開離する方向へ可動鉄心を付勢する開離ばね、励磁されることにより開離ばねに抗して固定鉄心に接する方向へ可動鉄心を移動させるコイル、先端部外周に設けられている環状の装着溝を有し、可動鉄心とともに往復動されるロッド、互いに間隔をおいて配置されている複数の固定接点、ロッドの軸方向へ往復動可能な状態でロッドに支持され、ロッドの往復動により固定接点に接離され、固定接点間を電気的に接続・遮断する可動接点、ロッドと可動接点との間に設けられ、固定接点側へ可動接点を付勢する接圧ばね、互いに向かい合う状態でロッドを囲むように装着溝に装着されている半円環状の一対の半円片を有し、ロッドの軸方向への可動接点の移動を規制するストッパ、及び可動接点とストッパとの間に設けられているリング部と、ストッパを囲む円筒状のカバー本体とを有し、ストッパが上記ロッドから外れるのを防止するカバーを備え、カバー本体の内側には、周方向に互いに間隔をおいて軸方向へ延びる複数の延長部が設けられており、これらの延長部には、カバーに対するストッパの軸方向への相対的な動きを規制する突起部がそれぞれ設けられているものである。
【００１４】
また、この発明に係るスタータ用マグネットスイッチは、固定鉄心、この固定鉄心に対して接離する方向へ往復動可能な可動鉄心、固定鉄心から開離する方向へ可動鉄心を付勢する開離ばね、励磁されることにより開離ばねに抗して固定鉄心に接する方向へ可動鉄心を移動させるコイル、先端部外周に設けられている環状の装着溝を有し、可動鉄心とともに往復動されるロッド、互いに間隔をおいて配置されている複数の固定接点、ロッドの軸方向へ往復動可能な状態でロッドに支持され、ロッドの往復動により固定接点に接離され、固定接点間を電気的に接続・遮断する可動接点、ロッドと可動接点との間に設けられ、固定接点側へ可動接点を付勢する接圧ばね、装着溝に装着され、ロッドの軸方向への可動接点の移動を規制するストッパ、及び可動接点とストッパとの間に設けられているリング部と、ストッパを囲む円筒状のカバー本体とを有し、ストッパがロッドから外れるのを防止するカバーを備え、カバー本体の内側には、カバーに対するストッパの軸方向への相対的な動きを規制する突起部が設けられており、ストッパの外周面には、突起部が挿入される凹部が設けられているものである。
【００２２】
【発明の実施の形態】
以下、この発明の実施の形態を図について説明する。
実施の形態１．
図１はこの発明の実施の形態１によるスタータ用マグネットスイッチの断面図である。図において、円筒状のソレノイドケース１の一端部には、スイッチケース２が結合されている。スイッチケース２内には、一対の固定接点３，４が互いに間隔をおいて固定されている。固定接点３，４には、一対の導体５，６が電気的に接続されている。
【００２３】
ソレノイドケース１内には、円筒状のボビン７が収容されている。ボビン７の外周部には、コイル８が保持されている。ソレノイドケース１内には、固定鉄心９が固定されている。固定鉄心９は、ボビン７のスイッチケース２側の端面に接合されているフランジ部９ａと、ボビン７内に挿入された円筒部９ｂとを有している。
【００２４】
ボビン７内には、往復摺動可能な可動鉄心１０が挿入されている。可動鉄心１０の一端部は、円筒部９ｂの端面に接離される。また、可動鉄心１０の他端部は、ソレノイドケース１の外部に突出している。可動鉄心１０の他端部とソレノイドケースとの間には、固定鉄心９から開離する方向へ可動鉄心１０を付勢する開離ばね１１が設けられている。
【００２５】
可動鉄心１０の一端部には、可動鉄心１０の軸方向へ延び、可動鉄心１０と一体に往復動されるロッド１２が固定されている。ロッド１２は、可動鉄心１０に固定されている大径部１２ａと、この大径部１２ａに隣接している小径部１２ｂとを有している。
【００２６】
図２は図１のロッド１２の先端部を示す正面図、図３は図２のＩＩＩ−ＩＩＩ線に沿う断面図である。ロッド１２の小径部１２ｂには、小径部１２ｂの軸方向へ往復動可能な保持部材１３が設けられている。保持部材１３は、フランジ部１３ａと円筒部１３ｂとを有している。円筒部１３ｂの端面には、リング状の保持板１４が当接されている。
【００２７】
ロッド１２には、一対の固定接点３，４に接離される平板状の可動接点１５が支持されている。可動接点１５は、フランジ部１３ａと保持板１４との間に配置されている。ロッド１２の大径部１２ａと保持部材１３との間には、固定接点３，４側へ可動接点１５を付勢する接圧ばね１６が設けられている。
【００２８】
小径部１２ｂの先端部の外周には、環状の装着溝１２ｃが設けられている。この装着溝１２ｃには、ロッド１２の軸方向（図３の左方向）への可動接点１５の移動を規制するストッパ２１が装着されている。ストッパ２１は、互いに向かい合う状態でロッド１２を囲むように装着溝１２ｃに装着されている半円環状の一対の半円片２１ａ，２１ｂを有している。これらの半円片２１ａ，２１ｂは、焼き入れ等により硬質化された金属によりそれぞれ構成されている。
【００２９】
ワッシャ１８は、ストッパ２１と保持板１４との間で小径部１２ｂに挿通されている。カバー２２は、ストッパ２１よりも軟質の金属からなり、ワッシャ１８とストッパ２１との間で小径部１２ｂに挿通されている。カバー２２は、ストッパ２１とワッシャ１８との間に介在されているリング部２２ａと、ストッパ２１を囲む円筒状のカバー本体２２ｂとを有している。
【００３０】
カバー本体２２ｂの内側には、カバー２２に対するストッパ２１の軸方向への相対的な動きを規制する複数の突起部２２ｃが周方向に互いに間隔をおいて設けられている。突起部２２ｃは、周方向に連続してリング状に形成してもよい。突起部２２ｃは、ストッパ２１に係合するように、リング部２２ａからストッパ２１の厚さ分だけ離れた位置に設けられている。
【００３１】
次に、動作について説明する。コイル８が励磁されていないときは、開離ばね１１のばね力により可動鉄心１０が固定鉄心９から開離されており、可動接点１５も固定接点３，４から開離されている。このため、固定接点３，４間に電流は流れない。
【００３２】
一方、コイル８が励磁されると、可動鉄心１０は、開離ばね１１に抗して図１の左方へ移動され、固定鉄心９に当接される。このとき、可動接点１５は、ロッド１２とともに図１の左方へ移動され、固定接点３，４に当接される。これにより、固定接点３，４は、可動接点１５を介して互いに電気的に接続され、導体５，６間に電流が流れる。
【００３３】
また、可動接点１５が固定接点３，４に当接した後も、所定の範囲だけ可動鉄心１０及びロッド１２が図１の左方へ移動されるため、保持部材１３及び可動接点１５は、ロッド１２に対して図１の右方へ相対的に移動され、接圧ばね１６が圧縮される。これにより、固定接点３，４に対する可動接点１５の接圧が得られる。
【００３４】
さらに、突起部２２ｃは、リング部２２ａ及びカバー本体２２ｂを形成する前に、カバー２２の材料に予めプレス加工等により形成される。図４に示すように、カバー２２を小径部１２ｂに通すときには、突起部２２ｃがストッパ２１に係合しておらず、カバー本体２２ｂの開口部が広げられている。装着溝１２ｃにストッパ２１が装着された後に、カバー本体２２ｂの外周部を絞ることにより、図３に示すように突起部２２ｃがストッパ２１に係合する。
【００３５】
このようなマグネットスイッチでは、一対の半円片２１ａ，２１ｂからなるストッパ２１が使用されており、振動によりストッパ２１が径方向へ動くのを防止することができる。これにより、ストッパ２１との接触によるカバー２２の摩耗及び破損が防止され、カバー２２の破損によるストッパ２１の外れを防止することができる。
【００３６】
また、カバー２２に対するストッパ２１の軸方向への相対的な動きは突起部２２ｃにより規制されており、カバー本体２２ｂの外周部は径方向外側へ拡がっいないため、固定接点３，４と可動接点１５との間がカバー２２を介して短絡するのが防止される。
【００３７】
実施の形態２．
次に、図５はこの発明の実施の形態２によるスタータ用マグネットスイッチの要部を示す側面図、図６は図５のロッド及びカバーを示す正面図である。図において、カバー２３は、ストッパ２１を囲む円筒状のカバー本体２３ａを有している。カバー本体２３ａには、周方向に互いに間隔をおいて軸方向へ延びる複数の延長部２３ｂが設けられている。これらの延長部２３ｂには、カバー２３に対するストッパ２１の軸方向への相対的な動きを規制する突起部２３ｃがそれぞれ設けられている。他の構成は、実施の形態１と同様である。
【００３８】
このようなカバー２３によっても、ストッパ２１の動きを規制することができるとともに、カバー２３が固定接点３，４及び可動接点１５との間で短絡するのを防止することができる。
【００３９】
実施の形態３．
次に、図７はこの発明の実施の形態３によるスタータ用マグネットスイッチの要部を示す側面図、図８は図７のロッド及びカバーを示す正面図である。図において、カバー２４は、ストッパ２１を囲む円筒状のカバー本体２４ａを有している。カバー本体２４の端部には、径方向内側へ斜めに延びる複数の突起部２４ｂが周方向に互いに間隔をおいて設けられている。他の構成は、実施の形態１と同様である。
【００４０】
このようなカバー２４によっても、ストッパ２１の動きを規制することができるとともに、カバー２４が固定接点３，４及び可動接点１５との間で短絡するのを防止することができる。
【００４１】
実施の形態４．
なお、実施の形態１では、突起部２２ｃがストッパ２１の端面に係合しているが、例えば図９に示すように、突起部２２ｃが挿入される凹部２１ｃをストッパ２１の外周面に設けてもよい。これにより、カバー２２に対するストッパ２１の動きをより確実に規制することができる。
【００４２】
実施の形態５．
次に、図１０はこの発明の実施の形態５によるスタータ用マグネットスイッチの要部断面図である。図において、カバー２５は、ストッパ２１を囲む円筒状のカバー本体２５ａを有している。カバー本体２５ａの端部２５ｂは、ローリングかしめ等の加工により、径方向内側へ全周均等に折り曲げられている。他の構成は、実施の形態１と同様である。
【００４３】
このようなカバー２５によっても、ストッパ２１の動きを規制することができるとともに、カバー２５が固定接点３，４及び可動接点１５との間で短絡するのを防止することができる。
【００４４】
【発明の効果】
以上説明したように、この発明のスタータ用マグネットスイッチは、互いに向かい合う状態でロッドを囲むように装着溝に装着されている半円環状の一対の半円片を有するストッパを用いたので、ストッパの動きをより確実に防止することができ、これによりカバーの破損及びストッパの外れを防止することができる。
【００４５】
また、カバーに対するストッパの軸方向への相対的な動きを規制する突起部を、カバー本体の内側に設けたので、ストッパの軸方向への動きを規制することができるとともに、カバーが固定接点及び可動接点との間で短絡するのを防止することができる。
【００４６】
さらに、カバー本体の端部を、径方向内側へ全周均等に折り曲げたので、ストッパの軸方向への動きを規制することができるとともに、カバーが固定接点及び可動接点との間で短絡するのを防止することができる。
【００４７】
さらにまた、カバーに対するストッパの軸方向への相対的な動きを規制する突起部を、カバー本体の内側に設けたので、ストッパの軸方向への動きを規制することができるとともに、カバーが固定接点及び可動接点との間で短絡するのを防止することができる。
【００４８】
また、周方向に互いに間隔をおいて軸方向へ延びる複数の延長部をカバー本体に設け、これらの延長部にそれぞれ突起部を設けたので、簡単な構造でストッパの軸方向への動きを規制することができる。
【００４９】
さらに、カバー本体の端部に周方向に互いに間隔をおいて設けられ、カバー本体の端部から径方向内側へ斜めに延びている突起部を用いたので、簡単な構造でストッパの軸方向への動きを規制することができる。
【００５０】
さらにまた、突起部が挿入される凹部をストッパの外周面に設けたので、簡単な構造でストッパの軸方向への動きを規制することができる。
【００５１】
また、カバー本体の端部を、径方向内側へ全周均等に折り曲げたので、ストッパの軸方向への動きを規制することができるとともに、カバーが固定接点及び可動接点との間で短絡するのを防止することができる。
【００５２】
さらに、互いに向かい合う状態でロッドを囲むように装着溝に装着されている半円環状の一対の半円片を有するストッパを用いたので、ストッパの動きをより確実に防止することができ、これによりカバーの破損及びストッパの外れを防止することができる。
【図面の簡単な説明】
【図１】  この発明の実施の形態１によるスタータ用マグネットスイッチの断面図である。
【図２】  図１のロッドの先端部を示す正面図である。
【図３】  図２のＩＩＩ−ＩＩＩ線に沿う断面図である。
【図４】  図３のストッパを装着した後、カバーを絞る前の状態を示す断面図である。
【図５】  この発明の実施の形態２によるスタータ用マグネットスイッチの要部を示す側面図である。
【図６】  図５のロッド及びカバーを示す正面図である。
【図７】  この発明の実施の形態３によるスタータ用マグネットスイッチの要部を示す側面図である。
【図８】  図７のロッド及びカバーを示す正面図である。
【図９】  この発明の実施の形態４によるスタータ用マグネットスイッチの要部断面図である。
【図１０】  この発明の実施の形態５によるスタータ用マグネットスイッチの要部断面図である。
【図１１】  従来のスタータ用マグネットスイッチの一例の断面図である。
【図１２】  図１１のロッドの先端部を示す正面図である。
【図１３】  図１２のＸＩＩＩ−ＸＩＩＩ線に沿う断面図である。
【符号の説明】
３，４  固定接点、８  コイル、９  固定鉄心、１０  可動鉄心、１１  開離ばね、１２  ロッド、１５  可動接点、１６  接圧ばね、２１  ストッパ、２１ａ，２１ｂ  半円片、２２，２３，２４，２５  カバー、２２ａ  リング部、２２ｂ，２３ａ，２４ａ，２５ａ  カバー本体、２２ｃ，２３ｃ，２４ｂ  突起部、２３ｂ  延長部、２５ｂ  端部。
【図１】
0003980235.tif 000002
【図２】
0003980235.tif 000003
【図３】
0003980235.tif 000004
【図４】
0003980235.tif 000005
【図５】
0003980235.tif 000006
【図６】
0003980235.tif 000007
【図７】
0003980235.tif 000008
【図８】
0003980235.tif 000009
【図９】
0003980235.tif 000010
【図１０】
0003980235.tif 000011
【図１１】
0003980235.tif 000012
【図１２】
0003980235.tif 000013
【図１３】
0003980235.tif 000014